(57)【特許請求の範囲】
【請求項１】
コイン保持位置とコイン解放位置との間で動作可能に構成され所定枚数の正規コインを前記コイン保持位置で保持し前記コイン解放位置で正規コインを解放するコイン保持部材と、商品排出のために操作され前記コイン保持部材を前記コイン保持位置から前記コイン解放位置まで動作させる操作子と、係止位置と係止解除位置との間で動作可能に構成され付勢手段によって前記係止位置に向けて付勢される係止部材とを備え、前記係止部材は、前記所定枚数の前記正規コインが前記コイン保持部材に保持されているときに、前記コイン解放位置に向けて動作する前記コイン保持部材に保持されている１つの前記正規コインの１つの端面に摺接することにより前記係止解除位置を維持して前記操作子の操作継続を許容し、前記所定枚数の前記正規コインが前記コイン保持部材に保持されていないときに、前記係止位置を取り前記操作子の操作を途中で阻止する自動販売機において、
前記付勢手段の付勢に抗して前記係止部材を動作規制して前記係止部材に前記係止解除位置を取らせる係止部材動作装置と、前記所定枚数の前記正規コイン以外で前記係止部材に前記係止解除位置を維持させるための所定の係止解除要請に基づいて前記係止部材動作装置の動作制御を行って当該係止解除要請があった後所定時間の経過の時又は前記操作子の排出のための操作が終了した時のいずれか早い時まで前記係止部材に前記係止解除位置を維持させる動作制御部と、を備えることを特徴とする自動販売機。
【請求項２】
前記係止部材は所定の軸を中心に回動可能に構成され、回動位置に応じて前記係止位置及び前記係止解除位置の１つを選択的に取り得るように構成され、前記係止部材動作装置は、動力源と、前記動力源の動力により動作して前記係止部材を押圧することによって当該係止部材に前記係止解除位置を取らせる押圧部材と、を備えることを特徴とする請求項１に記載の自動販売機。
【請求項３】
前記押圧部材には、当該押圧部材の動作に伴って前記係止部材を動作させるカムが形成されていることを特徴とする請求項２に記載の自動販売機。
【請求項４】
前記係止部材動作装置及び前記動作制御部は１つのケースに収められてユニットを構成し、着脱可能となっていることを特徴とする請求項１から請求項３のいずれか一項に記載の自動販売機。
【請求項５】
コイン保持位置とコイン解放位置との間で動作可能に構成され所定枚数の正規コインを前記コイン保持位置で保持し前記コイン解放位置で正規コインを解放するコイン保持部材と、商品排出のために操作され前記コイン保持部材を前記コイン保持位置から前記コイン解放位置まで動作させる操作子と、係止位置と係止解除位置との間で動作可能に構成され付勢手段によって前記係止位置に向けて付勢される係止部材とを備え、前記係止部材は、前記所定枚数の前記正規コインが前記コイン保持部材に保持されているときに、前記コイン解放位置に向けて動作する前記コイン保持部材に保持されている１つの前記正規コインの１つの端面に摺接することにより前記係止解除位置を維持して前記操作子の操作継続を許容し、前記所定枚数の前記正規コインが前記コイン保持部材に保持されていないときに、前記係止位置を取り前記操作子の操作を途中で阻止する自動販売機と共に用いられ、
前記付勢手段の付勢に抗して前記係止部材を動作規制して前記係止部材に前記係止解除位置を取らせる係止部材動作装置と、前記所定枚数の前記正規コイン以外で前記係止部材に前記係止解除位置を維持させるための所定の係止解除要請に基づいて前記係止部材動作装置の動作制御を行って当該係止解除要請があった後所定時間の経過の時又は前記操作子の排出のための操作が終了した時のいずれか早い時まで前記係止部材に前記係止解除位置を維持させる動作制御部と、を備えることを特徴とするアタッチメント。
【請求項６】
前記アタッチメントには、前記自動販売機側に設けたコネクタと接続可能な他のコネクタが設けられ、この他のコネクタを介して自動販売機と電気的に接続可能に構成されていることを特徴とする請求項５に記載のアタッチメント。
【発明の詳細な説明】
【技術分野】
【０００１】
本発明は、操作子を操作して商品を排出する自動販売機に関するもので、詳しくは、操作子のロック解除機構に係わるものである。
【背景技術】
【０００２】
従来、正規コインを所定枚数投入し、操作子の１つであるハンドルを回転操作することによって、カプセルに収容されている商品（以下「カプセル商品」と言う。）を排出する自動販売機が知られている（例えば、特許文献１）。
【０００３】
この種の自動販売機では、投入されたコインが当該自動販売機で使用可能なコイン（正規コイン）か否かと、所定枚数の正規コインが投入されたか否かを判別し、所定枚数の正規コインが投入された場合に、排出のためのハンドルの操作を許容し、それ以外の場合には、ハンドルの操作を途中で阻止、つまりハンドルのロックを行うこととしている。
【０００４】
このような構造を有する自動販売機の一例について説明すれば次のとおりである。
この自動販売機は、投入された所定枚数の正規コインを一時的に保持するコイン保持部材を備え、このコイン保持部材はコイン保持位置とコイン解放位置との間で動作可能に構成され、ハンドルの初動操作によってコイン保持位置からコイン解放位置に向けて動作可能となっている。また、この自動販売機は、コイン保持部材の動作域の近くに係止位置と係止解除位置との間で動作する係止部材を備えている。この係止部材は、コイン保持部材に所定枚数の正規コインが保持されているときには、コイン解放位置に向けて動作するコイン保持部材に保持されている１つの正規コインの１つの端面に摺接することにより係止解除位置を維持してハンドルの操作継続を許容し、所定枚数の正規コインがコイン保持部材に保持されていないときには、係止位置を取りハンドルの操作を途中で阻止する。
【先行技術文献】
【特許文献】
【０００５】
【特許文献１】特許第４９８９１４２号公報
【発明の概要】
【発明が解決しようとする課題】
【０００６】
ところで、近年、自動販売機において、決済手段も多様化しており、電子決済をするものも出現している。
この場合、既存の現金決済用の自動販売機を電子決済用の自動販売機としても応用できることが好ましいが、そのようにすると、次のような問題が生じる。
すなわち、上記自動販売機では、所定枚数の正規コインが投入されたときに、係止部材が１つの正規コインの１つの端面に摺接することにより係止解除位置を維持してハンドルの操作継続を許容するように構成されている。したがって、電子決済をする場合のように正規コインが投入されない場合には、ハンドルの操作継続をすることができない。
そこで、電子決済に応用できるようにするためには、所定枚数の正規コインを投入しない場合でも、ハンドルの操作継続を可能とするハンドルのロック解除機構が必要となる。
本発明は、簡易な構成で、正規コインを使用しない場合でも操作子のロック解除が可能な自動販売機及びアタッチメントを提供することを目的としている。
【課題を解決するための手段】
【０００７】
請求項１に記載の自動販売機は、
コイン保持位置とコイン解放位置との間で動作可能に構成され所定枚数の正規コインを前記コイン保持位置で保持し前記コイン解放位置で正規コインを解放するコイン保持部材と、商品排出のために操作され前記コイン保持部材を前記コイン保持位置から前記コイン解放位置まで動作させる操作子と、係止位置と係止解除位置との間で動作可能に構成され付勢手段によって前記係止位置に向けて付勢される係止部材とを備え、前記係止部材は、前記所定枚数の前記正規コインが前記コイン保持部材に保持されているときに、前記コイン解放位置に向けて動作する前記コイン保持部材に保持されている１つの前記正規コインの１つの端面に摺接することにより前記係止解除位置を維持して前記操作子の操作継続を許容し、前記所定枚数の前記正規コインが前記コイン保持部材に保持されていないときに、前記係止位置を取り前記操作子の操作を途中で阻止する自動販売機において、
前記付勢手段の付勢に抗して前記係止部材を動作規制して前記係止部材に前記係止解除位置を取らせる係止部材動作装置と、前記所定枚数の前記正規コイン以外で前記係止部材に前記係止解除位置を維持させるための所定の係止解除要請に基づいて前記係止部材動作装置の動作制御を行って当該係止解除要請があった後所定時間の経過の時又は前記操作子の排出のための操作が終了した時のいずれか早い時まで前記係止部材に前記係止解除位置を維持させる動作制御部と、を備えることを特徴とする。
【０００８】
請求項２に記載の自動販売機は、請求項１に記載の自動販売機であって、前記係止部材は所定の軸を中心に回動可能に構成され、回動位置に応じて前記係止位置及び前記係止解除位置の１つを選択的に取り得るように構成され、前記係止部材動作装置は、動力源と、前記動力源の動力により動作して前記係止部材を押圧することによって当該係止部材に前記係止解除位置を取らせる押圧部材と、を備えることを特徴とする。
【０００９】
請求項３に記載の自動販売機は、請求項２に記載の自動販売機であって、前記押圧部材には、当該押圧部材の動作に伴って前記係止部材を動作させるカムが形成されていることを特徴とする。
【００１０】
請求項４に記載の自動販売機は、請求項１から請求項３のいずれか一項に記載の自動販売機であって、前記係止部材動作装置及び前記動作制御部は１つのケースに収められてユニットを構成し、前記操作子、前記コイン保持部材及び前記係止部材を有する機構部に対して着脱可能となっていることを特徴とする。
【００１１】
請求項５に記載のアタッチメントは、
コイン保持位置とコイン解放位置との間で動作可能に構成され所定枚数の正規コインを前記コイン保持位置で保持し前記コイン解放位置で正規コインを解放するコイン保持部材と、商品排出のために操作され前記コイン保持部材を前記コイン保持位置から前記コイン解放位置まで動作させる操作子と、係止位置と係止解除位置との間で動作可能に構成され付勢手段によって前記係止位置に向けて付勢される係止部材とを備え、前記係止部材は、前記所定枚数の前記正規コインが前記コイン保持部材に保持されているときに、前記コイン解放位置に向けて動作する前記コイン保持部材に保持されている１つの前記正規コインの１つの端面に摺接することにより前記係止解除位置を維持して前記操作子の操作継続を許容し、前記所定枚数の前記正規コインが前記コイン保持部材に保持されていないときに、前記係止位置を取り前記操作子の操作を途中で阻止する自動販売機と共に用いられ、
前記付勢手段の付勢に抗して前記係止部材を動作規制して前記係止部材に前記係止解除位置を取らせる係止部材動作装置と、前記所定枚数の前記正規コイン以外で前記係止部材に前記係止解除位置を維持させるための所定の係止解除要請に基づいて前記係止部材動作装置の動作制御を行って当該係止解除要請があった後所定時間の経過の時又は前記操作子の排出のための操作が終了した時のいずれか早い時まで前記係止部材に前記係止解除位置を維持させる動作制御部と、を備えることを特徴とする。
【００１２】
請求項６に記載のアタッチメントは、請求項５に記載のアタッチメントであって、前記アタッチメントには、前記自動販売機側に設けたコネクタと接続可能な他のコネクタが設けられ、この他のコネクタを介して自動販売機と電気的に接続可能に構成されていることを特徴とする。
【発明の効果】
【００１３】
請求項１の発明によれば、現金決済のときに使用される係止部材をそのまま利用し、電子決済完了の後所定時間の経過の時又は前記操作子の排出のための操作が終了した時のいずれか早い時が経過するまで係止部材に係止解除位置を維持させるようにしているので、操作子のロック解除機構が簡単な構造で実現できる。
【００１４】
請求項２の発明によれば、係止部材を押圧するだけで当該係止部材に係止解除位置を維持させることができるので、さらに、操作子のロック解除機構が簡単な構造で実現できる。
【００１５】
請求項３の発明によれば、係止部材をカムにより押圧するだけで当該係止部材に係止解除位置を維持させることができるので、さらに、操作子のロック解除機構が簡単な構造で実現できる。
【００１６】
請求項４の発明によれば、係止部材動作装置及び動作制御部は１つのケースに収められてユニットを構成し、操作子、コイン保持部材及び係止部材を有する機構部に対して着脱可能となっているので、その取扱いが容易であり、保守、修理などか簡単に行えることになる。
【００１７】
請求項５の発明によれば、係止部材動作装置及び動作制御部は１つのケースに収められてユニットを構成し、操作子、コイン保持部材及び係止部材を有する機構部に対して着脱可能となっているので、その取扱いが容易であり、保守、修理などか簡単に行えると共に、既存の現金決済用の自動販売機への取付けも容易である。
【００１８】
請求項６の発明によれば、コネクタを介して自動販売機とアタッチメントが電気的に接続されているので、その取扱いが容易であり、保守、修理などか簡単に行えると共に、既存の現金決済用の自動販売機への取付けも容易である。その上、自動販売機の機構部が本体部に対して着脱できる場合には、機構部と一緒に簡単に着脱することができる。
【図面の簡単な説明】
【００１９】
【図１】本発明に係る自動販売機の一実施の形態を示した斜視図である。
【図２】図１の自動販売機に係る機構部を示した斜視図である。
【図３】図１の自動販売機のコイン選別装置を説明するための図である。
【図４】図１の自動販売機の動力伝達機構の一部を示した左側面図である。
【図５】図１の自動販売機の動力伝達機構の一部を示した斜視図である。
【図６】図１の自動販売機の動力伝達機構の一部を示した左側面図である。
【図７】図１の自動販売機のコイン保持部材及び係止部材を示した平面図である。
【図８】図１の自動販売機のコイン保持部材及び係止部材を示した平面図である。
【図９】図１の自動販売機のハンドルロック解除装置及びその周辺を示した斜視図である。
【図１０】図１の自動販売機のハンドルロック解除装置及びその周辺を示した斜視図である。
【図１１】図１の自動販売機のアタッチメントを示した斜視図である。
【図１２】図１の自動販売機の制御構成を示したブロック図である。
【発明を実施するための形態】
【００２０】
以下、本発明に係る自動販売機及びアタッチメントを図面に示した実施形態に基づいて説明する。
【００２１】
（自動販売機１の全体構成及び動作）
図１に示した自動販売機１は、カプセル商品Ａを自動販売するための販売機である。
この自動販売機１では、所定枚数の正規コインをコイン投入口５から投入し、ハンドル２を時計方向に１回転させると、１個のカプセル商品Ａが商品排出口４から排出される。また、この自動販売機１では、正規コインの代わりに、電子マネーを使用でき、電子マネー対応カード２００をリーダライタ１００のカードタッチ部に翳し（図１１参照）、ハンドル２を時計方向に１回転させると、１個のカプセル商品Ａが商品排出口４から排出される。
なお、この自動販売機１では、正規コイン以外のコインをコイン投入口５から投入すると、当該コインはコイン返却口６から返却される。また、正規コインを投入した場合であっても、ハンドル２の回転操作前にコイン返却レバー７を操作すると、当該正規コインは商品排出口４から排出される。
この自動販売機１では、所定枚数の正規コインがコイン投入口５に投入されるか、適切な電子マネー対応カードをリーダライタ１００のカードタッチ部に翳さない限り、ハンドル２を回転操作することはできない。
【００２２】
（自動販売機１の細部構成）
【００２３】
１．商品排出構造について
この自動販売機１は本体部１ａと機構部１ｂとを備えている。機構部１ｂは図２に示すように正面視で逆Ｌ字状に形成されており、本体部１ａに対して着脱可能に構成されている。
このうち本体部１ａには、カプセル商品Ａを多数収容可能な商品収容部３が形成されている。この商品収容部３の底部には、鉛直軸を中心に回転可能な回転盤（図示せず）が配置され、この回転盤はハンドル２の回転操作によって回転する。この回転盤には円周方向の所定位置に商品排出用の孔が形成されている。
この回転盤は、自動販売機１の内部を上半部と下半部とに区画する仕切り板（図示せず）の上に設けられている。この仕切り板には所定位置に商品排出用の孔が形成されている。
そして、この自動販売機１では、ハンドル２の回転操作によって回転盤が回転し、回転盤の孔と仕切り板の孔とが合致したときに、カプセル商品Ａをこれらの孔を通じて商品排出口４に排出させる。
【００２４】
２．コイン選別構造について
この自動販売機１では、コイン選別は先ずコイン投入口５によってなされる。すなわち、コイン投入口５は、正規コインの径サイズ及び厚さサイズ以下のコインだけを通過させ得る縦横サイズに設定されている。これにより、コイン投入口５からは、正規コインの径サイズ及び厚さサイズ以下のコインしか投入できない。
また、この自動販売機１は、コイン投入口５を通過したコインＣの中から正規コインを選別するためのコイン選別装置１０を備えている（図３）。このコイン選別装置１０は図２のＢ部つまりコイン投入口５の裏側に設置される。
このコイン選別装置１０は、図３に示すように、コイン投入口５から投入されたコインの端面に直交する軸１１ａを中心に回動可能に構成された振り子１１を備えている。この振り子１１には、偏心位置に、コイン投入口５から投入された正規コインを捕捉可能なコイン受け部１２が設けられている。このコイン受け部１２は、正規コインの外周の離れた２点を支持して正規コインを捕捉する２つの突起１３，１３から構成されている。
このコイン受け部１２によれば、投入されたコインＣのうち正規コインの径サイズよりも小さいコインＣ１は２つの突起１３，１３の間を素通りし、コイン返却口６から返却される。また、正規コインと径サイズが同じで軽量であるコインの場合には、２つの突起１３，１３に捕捉されるが、振り子１１が回転しないか又は振り子１１の回転が不十分となるため、正規コインとは別の場所に導かれ、コイン返却口６から返却される。また、正規コインＣ２は次のコイン保持部材２１に導かれる。
なお、この種のコイン選別装置は、特開２００８−２７２２６号公報に開示されるとともに周知となっているので、これ以上の説明は省略する。
【００２５】
３．回転盤の回転機構
この自動販売機１は、ハンドル２の操作動力を上記回転盤に伝達して当該回転盤を回転させる回転盤回転機構を備える。
図４に示すように、ハンドル軸２ａには歯車２ｂが固定されており、この歯車２ｂ及び図示しない歯車機構を介して、ハンドル２の操作動力が回転盤に伝達され、回転盤が回転される。
【００２６】
４．コイン保持部材
コイン保持部材２１は、コイン選別装置１０の下方に配置され、上記コイン選別装置１０で選別された正規コインを所定枚数一時的に保持するものである。図４及び図５に示すように、このコイン保持部材２１はハンドル軸２ａと平行な方向つまり前後方向に動作可能に設けられている。このコイン保持部材２１は後方に動作したときにコイン保持位置を取り、前方に動作したときにコイン解放位置を取る。
図５及び図７に示すように、このコイン保持部材２１の前端部には、上下及び右に開口する凹部２１ａが形成されている。この凹部２１ａの奥には、当該凹部２１ａに保持される正規コインの枚数を規制するコイン枚数規制板２２が設置されている。このコイン枚数規制板２２は調整摘み２２ａの回転操作によって凹部２１ａの深さ方向に動作可能となっている。このコイン枚数規制板２２の動作位置によって、凹部２１ａに保持可能な正規コインの枚数が設定される。
コイン保持位置にあるコイン保持部材２１の凹部２１ａの下方にはコイン支持部材７ａが設けられている。そして、コイン保持部材２１がコイン保持位置にあるとき、コイン支持部材７ａにより正規コインが下方から支持されることによって、コイン保持部材２１に正規コインが保持される。このコイン保持部材２１によれば、保持された正規コインは、コイン保持部材２１が前方に動作してコイン解放位置に至ったときに、正規コインがコイン支持部材７ａから外れてその支持を失うことで、正規コインが落下し、コイン保管金庫（図示せず）に収容される。なお、正規コインが保持された状態でコイン保持部材２１がコイン保持位置にあるときに、コイン返却レバー７が操作されると、コイン支持部材７ａが下方に動作し、コイン保持部材２１に保持されていた正規コインが落下し、コイン返却口６に返却される。
【００２７】
３．コイン保持部材動作装置
また、この自動販売機１は、ハンドル２の操作動力をコイン保持部材２１に伝達しコイン保持部材２１を前方に動作させるコイン保持部材動作装置を備える。
図４及び図５に示すように、ハンドル軸２ａの先端部には傘歯車２４が固定されている。この傘歯車２４は、ハンドル軸２ａと直交する軸２６ａに設けられた傘歯車２６に噛合している。傘歯車２６と同軸にはラチェット機構２５が設けられ、このラチェット機構２５によって、ハンドル２の逆回転（反時計方向の回転）が阻止されている。なお、図５にはラチェット機構２５を構成する爪車のみが示されている。
また、図６に示すように、傘歯車２６と同軸にはカム２９が設けられている。そして、このカム２９の下方には軸２７ａを中心に回動可能なレバー２７が設けられている。レバー２７の上端部はトーションスプリング２８の付勢力によってカム２９の動作域に配置されている。一方、レバー２７の下端部のピン２７ｂはコイン保持部材２１の後端の長孔２１ｂに挿入されている。そして、ハンドル２の回転操作に伴ってカム２９が回転すると、カム２９によってレバー２７がトーションスプリング２８の付勢力に抗してコイン保持部材２１を前方に押圧し、コイン保持部材２１を前方に動作させる。また、レバー２７とカム２９との係合が解除されると、コイン保持部材２１はトーションスプリング２８の付勢力によって後方に動作する。
【００２８】
４．ハンドルロック機構
また、この自動販売機１は、ハンドル２の回転操作を途中で阻止するハンドルロック機構２０を備える。
ハンドルロック機構２０は、コイン保持部材２１の前方への動作を途中で阻止する係止部材２３を備えている。この係止部材２３は、コイン保持部材２１の動作域の近くに配置されている。この係止部材２３は、軸２３ａを中心に回動可能に構成され、回動位置に応じて、係止位置と係止解除位置とを取る。この係止部材２３はスプリング２３ｄによって係止位置に向けて付勢されている。
このハンドルロック機構２０は次の通り動作する。
すなわち、係止部材２３は、コイン保持部材２１がコイン保持位置にあるときには、図７に示すように、係止部材２３の摺接部２３ｂが凹部２１ａの前縁に当接しており、係止部材２３の先端２３ｃが凹部２１ａに入り込まない位置にある。そして、所定枚数の正規コインＣ２が凹部２１ａに貯留されている状態でコイン保持部材２１が前方に動作すると、係止部材２３の摺接部２３ｂが１つの正規コインＣ２の１つの端面に摺接し、この場合も、先端２３ｃが凹部２１ａに入り込まない。その結果、さらなるコイン保持部材２１の前方への動作が許容される。この場合には、ハンドル２の継続操作が許容される。
一方、所定枚数の正規コインＣ２が凹部２１ａに貯留されていない状態でコイン保持部材２１が前方に動作すると、図８に示すように、摺接部２３ｂがスプリング２３ｄの付勢力によって凹部２１ａ内に入り込む。その結果、コイン保持部材２１が前方に動作すると、係止部材２３の先端２３ｃが凹部２１ａの後端側の側壁に当接し、コイン保持部材２１のそれ以上の前方への動作が阻止される。その結果、ハンドル２の継続操作が阻止される。
【００２９】
５．ハンドルロック解除装置
上述のように、コイン保持部材２１に保持された所定枚数の正規コインは第１のハンドルロック解除装置を構成する1つの要素となっている。この実施形態の自動販売機１には、所定枚数の正規コインが保持されていない状態でも、ハンドルロックを解除させる第２のハンドルロック解除装置４０を備えている。具体的には、この第２のハンドルロック解除装置４０は、電子決済による支払いが完了したときにハンドル２のロックを解除するためのものである。
このハンドルロック解除装置４０は、図９及び図１０に示すように、押圧部材４２を備えている。この押圧部材４２は、コイン保持部材２１と平行に前後方向に延在し、係止部材２３を覆うようにして設けられている。押圧部材４２の先端の係止部材２３に対向する面にはカム４３が形成され、また、中間部の１つの面にはラック４４が形成されている。このラック４４にはピニオン４５ａが噛合しており、当該ピニオン４５ａは、減速歯車列４５を介してモータ４１の駆動軸に連結されている。これら、押圧部材４２、ラック４４、ピニオン４５ａ、減速歯車列４５及びモータ４１は１つのケース５０に収められユニット化されたアタッチメントを構成している（図１１参照）。このケース５０にはコネクタ５１が設けられ、本体部１ａ側のコネクタ５２と電気的に接続される。なお、図１１において符号４２ａは押圧部材４２の側面に付設された突起であり、この突起４２ａはケース５０に形成した開口５０ａから突出している。この突起４２ａ及び開口５０ａにより、押圧部材４２のストロークが設定されている。なお、ケース５０の取り付けにあたって、自動販売機１を電子決済専用とする場合には、コイン投入口５を閉塞すればよい。
このハンドルロック解除装置４０によれば、モータ４１が一方向に回転すると、押圧部材４２が後方に動作し、図９に示すように、先端のカム４３で、係止部材２３がスプリング２３ｄの付勢力に抗して係止解除位置に維持させられる。なお、この状態から、モータ４１が他方向に回転すると、押圧部材４２が前方に動作し、図１０に示すように、先端のカム４３が係止部材２３から外れる。
【００３０】
６．制御構成
図１２は、この自動販売機１の制御構成を示すブロック図である。なお、ここではプリペイド式の電子マネー対応カード２００の場合を述べるが、これに限定されず、ポストペイド式の電子マネー対応カードにも適用できることは勿論である。
この自動販売機１は、制御構成として、電子決済サービスを電子マネー対応カード２００から読み取り、電子決済サービス情報に含まれる電子マネー残高を更新するリーダライタ（Ｒ／Ｗ）１００と、電子決済サービスの入出金を管理する電子マネー事業者との間でネットワークを介して電子決済サービスの授受を行う通信部１１０と、電子決済用プログラム及び動作制御用プログラムとこれらプログラムの実行のための各種データが記憶された記憶部１２０と、電子決済処理部や動作制御部として機能しハンドルロック解除装置４０の動作制御等を行う制御部１３０と、を備えている。これらリーダライタ１００、通信部１１０、記憶部１２０及び制御部１３０は、上記ケース５０に収められていてもよいが、通信部１１０、記憶部１２０又は制御部１３０を既に自動販売機１自体が保有している場合には、それらを活用してもよい。
【００３１】
この自動販売機１では、利用者が電子マネー対応カード２００をリーダライタ１００のカードタッチ部に近接すると、リーダライタ１００が電子マネー対応カード２００に記憶されている電子決済サービスを読み取り、電子決済サービス情報に含まれる電子マネー残高を更新する。同時に、リーダライタ１００に、取り引きの詳細を記述したログデータを記憶部１２０に保存する。所定のタイミングで、通信部１１０を介してログデータを電子マネー業者に送る。電子マネー業者からは通信部１１０を介してネガデータなどを受信する。
ここで、制御部１３０は、電子決済が完了すると、電子決済完了の後所定時間の経過の時又は前記操作子の排出のための操作が終了した時のいずれか早い時までモータ４１を一方向に回転させる。「所定時間」とは、例えば１０秒から２０秒程度の時間であり、長くても３０秒程度とすることが好ましい。この所定時間は、利用者が電子決済後にハンドル２の操作を十分にし得る時間とすることが好ましい。リーダライタ１００の場所からハンドル２の操作のための場所まで移動を要する場合でも、長くて４５秒程度とすることが好ましい。また、「排出のための操作が終了した時」とはハンドル２が１回転された時の意味であり、これ以上長くすると、１回の支払いで必要以上のハンドル２の操作が可能となるからである。なお、商品によってはハンドル２の操作が複数回された時とすることもできる。そして、電子決済完了の後所定時間の経過の時又は前記操作子の排出のための操作が終了した時のいずれか早い時の後には、モータ４１を他方向に回転させて、押圧部材４２を元位置に復帰させる。或いは、モータ４１を他方向に回転させる代わりに、押圧部材４２を予めスプリングの付勢力で前方に向けて付勢しておき、このスプリングの付勢力を利用して元位置に復帰させてもよい。
【００３２】
（発明の変形例）
以上、本発明の実施形態について説明したが、本発明は、かかる実施形態に限定されず、その発明の要旨を変更しない範囲で種々変形可能であることは言うまでもない。
【００３３】
上記実施形態では、モータ４１の動力により前方に動作する押圧部材４２による押圧によって係止部材２３を係止解除位置に維持するように構成したが、押圧部材４２は所定の軸を中心に回転する部材で構成されていてもよいし、ソレノイドによって動作するプランジャとして構成されていてもよい。また、係止部材２３に永久磁石又は磁性体を付設しておきソレノイドの吸引力又は反発力によってこの係止部材２３を動作させるものであってもよい。
【００３４】
また、上記実施形態では、１台の自動販売機１の場合について説明したが、複数の自動販売機１を１箇所に集中して設置する場合には、１箇所に、リーダライタ１００と、電子決済サービスの入出金を管理する電子マネー事業者との間でネットワークを介して電子決済サービスの授受を行う通信部１１０と、電子決済用プログラムとプログラムの実行のための各種データが記憶された記憶部１２０とを設け、これらを複数の自動販売機１で共用するようにしてもよい。また、場合によっては、第２のハンドルロック解除機構４０を制御する制御部を１箇所に設けてもよい。
この場合、所望する自動販売機１を選択するためのボタンをそれぞれの自動販売機１に設けておき、利用者が購入したい商品が入っている自動販売機１をボタンを押すことにより選択し、その後に電子決済をすることで、当該自動販売機１を利用できるようにしてもよいし、所望する自動販売機１を選択するためのテンキーを１つ設けておき、利用者が購入したい商品が入っている自動販売機１をテンキーでの番号入力により選択するようにしてもよい。
【００３５】
上記実施形態では、カプセル商品Ａの自動販売機１について説明したが、その他の自動販売機にも適用できることは勿論である。また、操作子も回転式のハンドル２に限らずレバーであってもよい。
【００３６】
さらに、上記実施形態では、電子決済の場合について説明したが、自動販売機１の管理者がＲＦＩＤを翳したとき、或いは、自動販売機１内にスイッチを設けておき、このスイッチを押したとき、、或いは通信手段を介した指令を受けたときのような所定の係止解除要請に基づいて制御部１３０を介してハンドルロック解除装置４０を動作できるようにしてもよい。また、自動販売機１をゲーム機器と有線又は無線で連係させ、ゲーム機器での遊戯結果（ゲームでの勝利や当選）に応じて、係止解除要請が制御部１に入力されたときに、制御部１３０を介してハンドルロック解除装置４０を動作できるようにしてもよい。
【符号の説明】
【００３７】
１    自動販売機
１ａ    本体部
１ｂ    機構部
２    ハンドル
２０    ハンドルロック機構
２１    コイン保持部材
２３    係止部材
２９    カム
４０    ハンドルロック解除装置
４１    モータ
４２    押圧部材
４３    カム
１３０    制御部
Ａ    カプセル商品
【図１】
0006649019.tif 000002
【図２】
0006649019.tif 000003
【図３】
0006649019.tif 000004
【図４】
0006649019.tif 000005
【図５】
0006649019.tif 000006
【図６】
0006649019.tif 000007
【図７】
0006649019.tif 000008
【図８】
0006649019.tif 000009
【図９】
0006649019.tif 000010
【図１０】
0006649019.tif 000011
【図１１】
0006649019.tif 000012
【図１２】
0006649019.tif 000013